(57)【要約】【課題】一旦収容した便の逆流による便漏れを確実に防止できる新規な便失禁袋の提供。【解決手段】  便Ｆを収容する袋体１０と、その開口部１３を肛門Ｐに装着する装着部２０とを有し、前記袋体１０は、一端が開口した筒状の通路部１１と、その通路部１１と連続する袋本体部１２と有し、その通路部１１をその途中で内側に折り返してその開口端１１ｂを袋本体部１１内に臨ませた状態とする。これによって、その開口端１１ｂが逆止弁のように機能し、通路部１１から一旦袋本体部１２内に収容された便Ｆが通路部１１側に逆流するのを確実に防止することができる。【選択図】図１
2019201866.tif 000002
【特許請求の範囲】
【請求項１】
便を収容する袋体と、当該袋体の開口部を肛門に装着する装着部とを有する便失禁袋であって、
前記袋体は、一端が開口した筒状の通路部と、当該通路部と連続する袋本体部と有し、前記通路部をその途中で内側に折り返してその開口端を前記袋本体部内に臨ませ、前記装着部は、前記通路部途中の折返部を開口部として肛門に装着することを特徴とする便失禁袋。
【請求項２】
請求項１に記載の便失禁袋において、
前記通路部の折返部を拡径して前記開口部にフランジを形成したことを特徴とする便失禁袋。
【請求項３】
請求項１または２に記載の便失禁袋において、
前記通路部の開口端にその長手方向に延びる切れ込みを形成したことを特徴とする便失禁袋。
【請求項４】
請求項１乃至３のいずれかに記載の便失禁袋において、
前記袋体がポリエチレンからなることを特徴とする便失禁袋。
【発明の詳細な説明】
【技術分野】
【０００１】
本発明は、便漏れ対策として用いることができる便失禁袋に関する。
【背景技術】
【０００２】
不意に起こる便失禁は、加齢や下痢、病気、出産、手術などといった様々な原因によるが、この便失禁が起こると下着やズボンを汚してしまって後始末が面倒な上に周囲に迷惑を掛けてしまうなど精神的負担も大きい。便失禁の対策としては便漏れパットや紙おむつを装着することが効果的であるが、水様便や泥状便でその量が多い場合には、便漏れパットや紙おむつでは吸収しきれずに隙間から漏れ出すこともある。また、認知症の人や寝たきりの高齢者では失禁してもそれが分からなかったり、すぐに紙おむつを交換できないことがあり、漏れた便が皮膚に長い間付着することによって皮膚炎や感染などを招くおそれもある。
【０００３】
このため、従来では以下の特許文献１のように肛門に排便袋を接着し、その袋体を肛門から裏返しするようにして直腸内に入れ、排便と共に肛門から排出させることでその袋体に便を収容して便漏れを防ぐようにしたものが提案されている。また、以下の特許文献２や３は、基本的な構造は特許文献１のそれと同じであるが、袋本体を直腸内に入れるのではなく、そのまま肛門外に位置させると共にその袋本体を２枚重ねの折返部からコンパクトに丸め巻いておくような構造となっている。そして、排便があったときは、この袋本体が繰り出されるように拡大することで排便をその袋体内に収容できるようにしている。
【先行技術文献】
【特許文献】
【０００４】
【特許文献１】特開２００６−１６７１８１号公報
【特許文献２】再公表２０１６−０９３３１５号公報
【特許文献３】意匠第１５８６０７号公報
【発明の概要】
【発明が解決しようとする課題】
【０００５】
しかしながら、前記特許文献１のような排便袋は、肛門から直腸内に袋体を挿入して用いるため、挿入時に使用者に痛みを与える上に使用中ずっと違和感を感じることになる。一方、特許文献２や３のような排便袋は、このような不都合はないものの便が液状であったり軟便であった場合には気がついたときに直ぐに肛門から外さないと袋本体から便が逆流して漏れ出してしまい処理が面倒になることが考えられる。
【０００６】
そこで、本発明はこれらの課題を解決するために案出されたものであり、その目的は、一旦収容した便の逆流による便漏れを確実に防止できる新規な便失禁袋を提供するものである。
【課題を解決するための手段】
【０００７】
前記課題を解決するために第１の発明は、便を収容する袋体と、当該袋体の開口部を肛門に装着する装着部とを有する便失禁袋であって、前記袋体は、一端が開口した筒状の通路部と、当該通路部と連続する袋本体部と有し、前記通路部をその途中で内側に折り返してその開口端を前記袋本体部内に臨ませ、前記装着部は、前記通路部途中の折返部を開口部として肛門に装着することを特徴とする便失禁袋である。
【０００８】
このような構成によれば、袋体の通路部をその途中で内側に折り返してその開口端を前記袋本体部内に臨ませた状態となっているため、その開口端が逆止弁のように機能し、通路部から一旦袋本体部内に収容された便が通路部側に逆流するのを防止することができる。
【０００９】
第２の発明は、第１の発明において、前記通路部の折返部を拡径して前記開口部にフランジを形成したことを特徴とする便失禁袋である。このような構成によれば、そのフランジ部分からなる開口部を装着部に対して容易かつ確実に取り付けることができる。
【００１０】
第３の発明は、第１または第２の発明において、前記通路部の開口端にその長手方向に延びる切れ込みを形成したことを特徴とする便失禁袋である。このような構成によれば、手作業などによって袋体の通路部の開口端側をその内側に入れる際に、この開口端を指で簡単に摘まむことができるため、その作業を容易に行うことができる。
【００１１】
第４の発明は、第１乃至第３のいずれかの発明において、前記袋体がポリエチレンからなることを特徴とする便失禁袋である。このように便を収容する袋体を柔軟なポリエチレンで構成することにより、変形自在となって人の動きを妨げたり、異物感を与えることがない上に、ある程度の力が加わっても簡単に破けたりすることなく、収容した便を確実に保持することができる。また、人体の皮膚との親和性が良いため、長時間肛門やおしりの皮膚に触れた状態でもかぶれや痒みを起こすこともない。
【発明の効果】
【００１２】
本発明によれば、袋体の通路部をその途中で内側に折り返してその開口端を前記袋本体部内に臨ませた状態となっているため、その開口端が逆止弁のように機能し、通路部から一旦袋本体部内に収容された便が通路部側に逆流するのを防止することができる。
【図面の簡単な説明】
【００１３】
【図１】本発明に係る便失禁袋１００の実施の一形態を示す斜視図である。
【図２】本発明に係る便失禁袋１００の実施の一形態を示す分解斜視図である。
【図３】袋体１０を示す平面図である。
【図４】袋体１０を示す斜視図である。
【図５】袋体１０の通路部１１先端の開口端１１ｂを通路部１１内に挿入している状態を示す説明図である。
【図６】装着部２０の構成を示す説明図である。
【図７】図６（Ｂ）中Ｓ部を示す部分拡大図である。
【図８】本発明に係る便失禁袋１００の装着状態および作用を示す説明図である。
【図９】本発明に係る便失禁袋１００の他の実施形態を示す斜視図である。
【図１０】本発明に係る便失禁袋１００の他の実施形態を示す斜視図である。
【発明を実施するための形態】
【００１４】
次に、本発明の実施の形態を添付図面を参照しながら説明する。図１および図２は本発明に係る便失禁袋１００の実施の一形態を示したものである。図示するようにこの便失禁袋１００は便を収容する袋体１０と、この袋体１０を肛門に装着する装着部２０とから構成されている。
【００１５】
この袋体１０は、ポリエチレンなどの柔軟な材料から構成されており、図３および図４に示すように、一端が開口した筒状の通路部１１と、この通路部１１と連続する袋本体部１２とを有している。また、この通路部１１の途中には、これよりも外側に拡径した折返部１１ａが形成されており、後述するように通路部１１がこの折返部１１ａで内側に折り返されるようになっている。
【００１６】
一方、装着部２０は、図１および図２、図６に示すようにベースとなる略正方形状の基布２０ａと、この基布２０ａ上に粘着される両面粘着シート２０ｂと、この両面粘着シート２０ｂ上を覆う剥離シート２０ｃとの３層構造となっている。そして、図１に示すように、この装着部２０の中央部には、円形の貫通穴２１が形成されており、この貫通穴２１と連通するように袋体１０が取り付けられている。
【００１７】
ここで、この装着部２０のサイズとしては特に限定されるものではないが、例えば縦横１００ｍｍ×１００ｍｍ、貫通穴２１の径３０〜５０ｍｍ程度の大きさが望ましい。また、装着部２０の形状としては、長方形や円形、その他の形状であってもよく、また、貫通穴２１の位置は、装着部２０の中心から多少前後左右にずれていてもよい。
【００１８】
そして、このような構成をした本発明に係る便失禁袋１００を製造するには、先ず図４および図５（Ａ）に示すように、袋体１０を構成する通路部１１の開口端１１ｂの縁を指で摘まみ、その開口端１１ｂを通路部１１の内側に挿入し、通路部１１の折返部１１ａの位置まで押し込める。これにより、図５（Ｂ）に示すように、その開口端１１ｂが袋本体部１２内に臨むように位置すると共に、通路部１１の折返部１１ａには、その通路部１１から径方向外側に広がるようなフランジ部１１ｃが形成されると共に、袋本体部１２内と連通する漏斗状の開口部１３が形成される。
【００１９】
袋体１０をこのように加工したならば、次に、図６（Ａ）に示すようにそのフランジ部１１ｃの下側に装着部２０の基布２０ａを位置させる。すなわち、開口部１３を収縮させた状態で基布２０ａ側の貫通穴にそのフランジ部１１ｃを挿入した後、そのフランジ部１１ｃを広げて基布２０ａの上面に重なるように位置させる。その後、このフランジ部１１ｃを挟むようにその基布２０ａの上に両面粘着シート２０ｂを重ね合わせると共に、その両面粘着シート２０ｂ上に剥離シート２０ｃを重ね合わせる。
【００２０】
なお、この両面粘着シート２０ｂと剥離シート２０ｃとは通常予め一体となっているため、その場合は両面粘着シート２０ｂを重ね合わせるだけでよい。これによって、図１に示すように装着部２０の貫通穴２１に、フランジ部１１ｃを有する開口部１３が位置するように袋体１０を容易かつ確実に一体的に取り付けることができる。図７は、図６（Ｂ）中Ｓ部を示す部分拡大断面図であり、装着部２０の基布２０ａの上に袋体１０のフランジ部１１ｃが位置し、これを挟むようにその上に両面粘着シート２０ｂと剥離シート２０ｃとが重なり合っている状態を示している。
【００２１】
そして、この便失禁袋１００を使用するときは、装着部２０の剥離シート２０ｃを剥がした後、図８（Ａ）に示すように袋体１０の開口部１３が肛門Ｐに位置するように、その両面粘着シート２０ｂを肛門周囲の臀部に貼り付ける。これによって、同図（Ａ）に示すように肛門Ｐから漏れた便Ｆがその開口部１３から袋体１０の通路部１１を通過してその開口端１１ｂから袋本体部１２に達してここに溜められるため、下着やズボンなどを汚すことがない。
【００２２】
また、このように袋体１０の通路部１１をその途中で内側に折り返してその開口端１１ｂを袋本体部１２内に臨ませた構造となっているため、袋本体部１２に外側から圧力が加わったときには、その開口端１１ｂが逆止弁のように機能するため、一旦袋本体部１２内に収容された便Ｆが通路部１１側に逆流して開口部１３から漏れ出すようなことはない。
【００２３】
すなわち、袋本体部１２から便Ｆが逆流するには、その袋本体部１２の内壁を便Ｆが伝わって通路部１１に流れる必要がある。しかし、図８（Ｂ）に示すように、この通路部１１は、二重構造となっていてしかもその内側の通路１１の開口端１１ｂが袋本体部１２の底部側に向いた状態となっているため、袋本体部１２の内壁を伝って逆流した便Ｆがその内側の通路部１１と外側の通路部１１との間に達した後、行き場を失って内側の通路部１１に沿って袋本体部１２の底部側に戻されることになる。しかも、この開口端１１ｂはペラペラで自由に変形自在となっているため、この開口端１１ｂを押し広げて逆流するようなこともない。
【００２４】
本発明の便失禁袋１００は、このような作用によって一旦袋本体部１２内に収容された便Ｆが逆流して開口部１３から漏れ出すようなことがなくなるため、下着やズボンを汚すことなく、安心して使用することができる。また、このように便Ｆを収容する袋体１０を柔軟なポリエチレンで構成することにより、変形自在となって人の動きを妨げたり、異物感を与えることがない上に、ある程度の力が加わっても簡単に破けたりすることなく、一旦収容した便Ｆは確実に保持することができる。
【００２５】
また、ポリエチレンは、人体の皮膚との親和性が良いため、長時間肛門やおしりの皮膚に触れた状態でもかぶれや痒みを起こすこともない。また、ポリエチレンは、安価であり、経済的である。なお、ポリエチレンであれば、低密度ポリエチレン（LDPE）や高密度ポリエチレン（HDPE）のいずれでもよいが、手触りが柔らかく縦横にも伸びる低密度ポリエチレンが望ましい。また、ポリエチレンの他に、ポリプロピレンやポリ塩化ビニルや天然ゴムなどを用いてもよい。また、この袋体１０は、透明なものでも着色したものであってもよい。
【００２６】
また、装着部２０の両面粘着シート２０ｂとして医療用のもの、例えば皮膚刺激の少ないアクリル系粘着剤からなるものを用いれば、優れた粘着力を発揮しつつ、粘着剤による肛門まわりのかぶれや痒みを抑制することができる。なお、図１に示すように両面粘着シート２０ｂを覆う剥離シート２０ｃをその中央に切り込みを入れて二分割できるようにすれば、装着時にその剥離シート２０ｃを簡単に剥ぎ取ることができる。
【００２７】
また、図３に示すように、袋体の開口端１１ｂの先端を半円状に加工したり、その開口端１１ｂの両側にその長手方向に延びる切れ込み１１ｄ、１１ｄを形成すれば、前述したように手作業などによって袋体１０の通路部１１の開口端側１１ｂをその内側に入れる際に、この開口端１１ｂを指で簡単に摘まむことができるため、その作業を容易に行うことができる。そして、使用後は、その装着部２０を臀部から剥がし取り、その開口部１３付近を紐やゴムで縛って密閉すれば、そのまま燃えるゴミなどとして簡単に処分することができる。
【００２８】
また、図９に示すように袋体１０の通路部１１をさらに長く、例えば３０〜５０ｃｍ程度まで伸せば、その袋体１０を太股の内側部分などにテープで固定できるため、動いたり歩いたりしたときにその袋体１０が邪魔となることがなく、仕事や日常生活に支障をきたすこともない。さらに、図１０に示すように、この装着部２０に尿漏れパット（または便漏れ）パット３０を取り付ければ、仮に装着部２０の粘着面の隙間などから便が漏れ出したとしても、それをこの尿漏れパット３０で吸収できるため、下着やズボンを汚してしまうようなこともない。
【００２９】
また、装着部２０を構成する基布２０ａ上に粘着される両面粘着シート２０ｂに代えて比較的安価な片面粘着シートを用い、その非粘着面側を両面テープなどを用いて基布２０ａ側に粘着させるように構成してもよい。
【符号の説明】
【００３０】
１００…便失禁袋
１０…袋体
１１…通路部
１１ａ…折返部
１１ｂ…開口端
１１ｃ…フランジ部
１１ｄ…切れ込み
１２…袋本体部
１３…開口部
２０…装着部
２０ａ…基布
２０ｂ…両面粘着シート
２０ｃ…剥離シート
２１…貫通穴
３０…尿漏れパット
Ｆ…便
Ｐ…肛門
【図１】
2019201866.tif 000003
【図２】
2019201866.tif 000004
【図３】
2019201866.tif 000005
【図４】
2019201866.tif 000006
【図５】
2019201866.tif 000007
【図６】
2019201866.tif 000008
【図７】
2019201866.tif 000009
【図８】
2019201866.tif 000010
【図９】
2019201866.tif 000011
【図１０】
2019201866.tif 000012